(57)【特許請求の範囲】
【請求項１】
外部に送り出される風向を制御する一枚の風向制御板を吹出口に備えた空気調和機において、
前記風向制御板は、長手方向の一側縁部側に形成されて長手方向に直交する幅方向に湾曲された湾曲部と、該湾曲部から連続して他側縁部に延びる平坦部とを備え、
稼動時に前記湾曲部が気流の上流側に位置するように前記吹出口に設置され、
窓や壁面近傍の空間へ向けて気流制御を行うときには、前記湾曲部の凸側面を流れる風路と、前記湾曲部の凹側面を流れる風路とが形成され、ペリメータゾーンの端である壁面寄りに向かう風が、前記湾曲部の凸側面を流れ、前方へ向かう風が前記湾曲部の凹側面を流れるように姿勢制御されることを特徴とする空気調和機。
【請求項２】
前記風向制御板の湾曲部は、該風向制御板の幅の１／３〜１／２を占めていることを特徴とする請求項１記載の空気調和機。
【発明の詳細な説明】
【技術分野】
【０００１】
本発明は、外部に送り出される風向を制御する上下風向制御板を吹出口に備えた空気調和機に関する。
【背景技術】
【０００２】
室内の空間には、外気の影響を受け難い空間（以下、「インテリアゾーン」という）と外気の影響を受け易い窓や壁面近傍の空間（以下、「ペリメータゾーン」という）が存在する。外気の影響を受けたペリメータゾーンの空気と外気の影響を受けていないインテリアゾーンの空気が混合することで居住者の快適性を損なう可能性がある。そこで、ペリメータゾーンへエアバリアを形成する空調方式が提案されている。例えば、吹出口に設けた平面のみで形成された風向制御板をペリメータゾーンへ向けて、ペリメータゾーンに気流を送るようにしたものがある（例えば、特許文献１参照）。
【０００３】
また、円弧面のみで形成された上下ベーンを吹出口内で起立させることでペリメータゾーンへも気流を送ることができるようにしたものがある（例えば、特許文献２参照）。
【先行技術文献】
【特許文献】
【０００４】
【特許文献１】特開平８−１４５４３８号公報（段落００１４，００１６、図１）
【特許文献２】特開平５−２９６５２９号公報（段落００１４、図２）
【発明の概要】
【発明が解決しようとする課題】
【０００５】
しかしながら、風向制御板が平面のみ又は円弧面のみで形成されているものにあっては、風向を特にペリメータゾーンへ向ける際に、吹出口内で風向制御板の角度を大きくとる必要があり、これが風路抵抗となって、圧力損失を大きくし、風量低下を招く恐れがあった。
【０００６】
本発明は、上記のような課題を解決するためになされたもので、風向制御板による圧力損失を低減できるようにすることを目的としている。
【課題を解決するための手段】
【０００７】
本発明に係る空気調和機は、外部に送り出される風向を制御する一枚の風向制御板を吹出口に備えた空気調和機において、風向制御板は、長手方向の一側縁部側に形成されて長手方向に直交する幅方向に湾曲された湾曲部と、この湾曲部から連続して他側縁部に延びる平坦部とを備え、稼動時に湾曲部が気流の上流側に位置するように吹出口に設置され、窓や壁面近傍の空間へ向けて気流制御を行うときには、湾曲部の凸側面を流れる風路と、湾曲部の凹側面を流れる風路とが形成され、ペリメータゾーンの端である壁面寄りに向かう風が、湾曲部の凸側面を流れ、前方へ向かう風が湾曲部の凹側面を流れるように姿勢制御されるものである。
【発明の効果】
【０００８】
本発明に係る空気調和機においては、一枚の風向制御板が吹出口に備えられ、この風向制御板は、長手方向の一側縁部側に形成されて長手方向に直交する幅方向に湾曲された湾曲部と、この湾曲部から連続して他側縁部に延びる平坦部とを備え、稼動時に湾曲部が気流の上流側に位置するように吹出口に設置され、窓や壁面近傍の空間へ向けて気流制御を行うときには、湾曲部の凸側面を流れる風路と、湾曲部の凹側面を流れる風路とが形成され、ペリメータゾーンの端である壁面寄りに向かう風が、湾曲部の凸側面を流れ、前方へ向かう風が湾曲部の凹側面を流れるように姿勢制御されるものであるので、風向制御板の幅寸法が同じであれば、従来の円弧面のみで形成される風向制御板に比べて風向をペリメータゾーンへ向ける時の風向制御板の角度を小さくとることができ、その分、風路を塞ぐ面積を小さくすることができる。そのため、風路の確保が容易となり、風向制御板による圧力損失を低減でき、風量の低下を抑えることができる。また風向制御板が風路を塞ぐ面積を小さくすることができるため、風向制御板の湾曲部の凹側面を通過する風路を形成することができ、空気調和機の前方にも風（気流）を吹かすことができ、圧力損失を一層低減することができる。
また、従来の平面のみで形成される風向制御板に比べて、風向制御板の幅寸法とペリメータゾーンへ向ける時の風向制御板の角度（風向制御板における気流の下流側となる部分が床面に対し垂直方向を向く姿勢となる角度）が同じであれば、ペリメータゾーンへ向かわせる風路開口面積を大きくとることができる。このため、圧力損失を低減でき、ペリメータゾーンへ向かわせる風量を増大させることができる。
【図面の簡単な説明】
【０００９】
【図１】本発明の実施形態に係る空気調和機の設置状態を概略的に示す断面図である。
【図２】本発明の実施形態に係る空気調和機の風向制御板の構成を示す斜視図である。
【図３】本発明の実施形態に係る空気調和機の風向制御板の説明図である。
【図４】本発明の実施形態に係る空気調和機のペリメータゾーンモード時の動作説明図である。
【図５】本発明の実施形態に係る空気調和機のインテリアゾーンモード時の動作説明図である。
【発明を実施するための形態】
【００１０】
図１は本発明の実施形態に係る空気調和機の設置状態を概略的に示す断面図である。本発明の実施形態に係る空気調和機は、天井埋込型の空気調和機である。この空気調和機は、図１のように天井８に埋め込まれた室内ユニットの筺体１に、室内空気を取り入れる吸込口２と、空気を室内に戻す吹出口６を有している。また、吸込口２から吹出口６に至る風路５内に、吸込口２から取り入れられた室内空気を冷却または加熱する熱交換器３と、吸込口２から空気を取り入れて、吹出口６から室内に熱交換された空気を吹き出させるための送風機４を備えている。また、吹出口６には、外部に送り出される風向を制御する風向制御板７が取り付けられている。
【００１１】
図２は本発明の実施形態に係る空気調和機の風向制御板の構成を示す斜視図、図３は本発明の実施形態に係る空気調和機の風向制御板の説明図である。風向制御板７は、図２及び図３のように長手方向の一側縁部に形成されて長手方向に直交する幅方向に湾曲された湾曲部７ａと、湾曲部７ａから連続して他側縁部に延びる平坦部７ｂとで構成されている。湾曲部７ａは、風向制御板７の幅の１／３〜１／２を占めており、風向制御板７は、図１のように稼動時に湾曲部７ａが気流の上流側、つまり風路５内に位置するように吹出口６に配置され、ヒンジ１２により揺動可能に取り付けられている。
【００１２】
室内空間は、空気調和機の吸込口２側が外気の影響を受け易い壁面１０寄りのぺリメータゾーン、吸込口２の反対側、つまり吹出口６側が外気の影響を受け難いインテリアゾーンとなっている。風向制御板７により、気流Ａ１から気流Ａ２までの風向範囲Ｂ１に風を吹かすことで、インテリアゾーンに気流を吹かすことができる。また、風向制御板７により、気流Ａ３から気流Ａ４までの風向範囲Ｂ２に風を吹かすことで、ペリメータゾーンに気流を吹かすことができる。
【００１３】
次に、本発明の実施形態に係る空気調和機の風向制御板７の動作について説明する。
図４は本発明の実施形態に係る空気調和機のペリメータゾーンモード時の動作説明図である。ペリメータゾーンモード時、風向制御板７は、図４のように平坦部７ｂが床面９に対し垂直方向を向く姿勢に制御され、湾曲部７ａが風路５内に位置するよう設定される。これにより、外気の影響を最も受け易いペリメータゾーンの端に向かう風（気流Ａ６）が、湾曲部７ａの凸側面を流れる。
【００１４】
このように、風向制御板７を、湾曲部７ａと湾曲部７ａから連続して他側縁部に延びる平坦部７ｂとで構成し、ペリメータゾーンモード時に、外気の影響を最も受け易いペリメータゾーンの端に向かう風（気流Ａ６）が、湾曲部７ａの凸側面からこれに連続する平坦部７ｂに沿って流れるようにしているので、風向制御板の幅寸法が同じであれば、従来の円弧面のみで形成される風向制御板に比べて風向をペリメータゾーンへ向ける時の風向制御板７の角度（風向制御板における気流の下流側となる部分が床面に対し垂直方向を向く姿勢となる角度）を小さくとることができ、その分、風路を塞ぐ面積を小さくすることができる。そのため、風路の確保が容易となり、風量の低下を抑えることができる。また風向制御板７が風路を塞ぐ面積を小さくすることができるため、風向制御板７の湾曲部７ａの凹側面を通過する風路を形成することができ、空気調和機の前方にも風（気流Ａ５）を吹かすことができ、圧力損失を一層低減することができる。
【００１５】
また、従来の平面のみで形成される風向制御板に比べて、風向制御板の幅寸法とペリメータゾーンへ向ける時の風向制御板の角度（風向制御板における気流の下流側となる部分が床面に対し垂直方向を向く姿勢となる角度）が同じであれば、ペリメータゾーンへ向かわせる風路開口面積を大きくとることができる。このため、圧力損失を低減でき、ペリメータゾーンへ向かわせる風量を増大させることができる。
【００１６】
また、湾曲部７ａを風向制御板７の幅の１／３〜１／２を占めるように形成することで、風を湾曲部７ａの凸側面からこれに連続する平坦部７ｂに沿ってスムーズに流すことができ、空気流れの剥離を防止することができる。このため、室内から吹出口６に向かう湿った空気流れが風向制御板７まで到達することを防ぐことができ、冷房時の風向制御板７の結露を防止することができる。その結果、長時間の使用において空気調和機からの結露液の滴下をなくすことができる。
【００１７】
図５は本発明の実施形態に係る空気調和機のインテリアゾーンモード時の動作説明図である。インテリアゾーンモード時、風向制御板７は、図５のように平坦部７ｂが床面９に対し斜め前方を向く姿勢に制御され、湾曲部７ａが風路５内に位置するよう設定される。これにより、外気の影響を受け難いインテリアゾーンに向かう風（気流Ａ７、Ａ８）が、湾曲部７ａの両面から平坦部７ｂの両面に沿って流れる。
【００１８】
このインテリアゾーンモード時においても、従来の平面のみで形成される風向制御板に比べて、風向制御板の幅寸法とインテリアゾーンへ向ける時の風向制御板の角度（風向制御板における気流の下流側となる部分の床面に対する角度）が同じであれば、インテリアゾーンへ向かわせる湾曲部７ａの凸側の風路入口部Ｃ１の面積を大きくとることができる。このため、圧力損失を低減でき、インテリアゾーンへ向かわせる風量を増大させることができる。
【００１９】
また、このインテリアゾーンモード時においても、風は湾曲部７ａの凸側面からこれに連続する平坦部７ｂに沿ってスムーズに流れるので、空気流れの剥離が発生しない。このため、室内から吹出口６に向かう湿った空気流れが風向制御板７まで到達することを防ぐことができ、冷房時の風向制御板７の結露を防止することができる。その結果、長時間の使用において空気調和機からの結露液の滴下をなくすことができる。
【符号の説明】
【００２０】
１  筺体、２  吸込口、３  熱交換器、４  送風機、５  風路、６  吹出口、７  風向制御板、７ａ  湾曲部、７ｂ  平坦部、８  天井、９  床面、１０  壁面、１２  ヒンジ、Ａ１〜Ａ８  気流、Ｂ１，Ｂ２  風向範囲、Ｃ１  風路入口部。
【図１】
0005858665.tif 000002
【図２】
0005858665.tif 000003
【図３】
0005858665.tif 000004
【図４】
0005858665.tif 000005
【図５】
0005858665.tif 000006